(57)【要約】【課題】複数のページを含む入力ファイルから抽出されたページを含む２以上のページを、後で参照しやすくする。【解決手段】制御部５０において、分割部５２は、複数のページを含む入力ファイルをページ単位に分割する。また、照合部５３は、分割された入力ファイルにおける各ページの対象画像と、全体ルールにおける個別ルールに定められた基準画像との照合を行い、照合が成功したページを、一時保存領域５５ｂに順次保存する。照合部５３において入力ファイルにおける最終ページの照合が終了すると、再構築部５４は、一時保存領域５５ｂに保存されている２以上のページ（照合が成功したページ）を束ねることで、１まとまりの出力ファイルを作成する。【選択図】図２
2017157083.tif 000002
【特許請求の範囲】
【請求項１】
複数のページを含む入力ファイルから、予め決められた条件に適合する適合ページを抽出する抽出手段と、
前記抽出手段が前記入力ファイルから抽出した２以上の前記適合ページを含む出力ファイルを作成する作成手段と
を含むファイル再構築装置。
【請求項２】
複数のページを含む入力ファイルから、予め決められた条件に適合する適合ページを抽出する抽出手段と、
前記抽出手段が前記入力ファイルから抽出した１の前記適合ページと、当該入力ファイルにおいて当該適合ページに連続し且つ前記条件に適合しないことで当該抽出手段が当該入力ファイルから抽出しなかった１以上の不適合ページとを含む出力ファイルを作成する作成手段と
を含むファイル再構築装置。
【請求項３】
複数のページを含む入力ファイルから、予め決められた条件に適合する適合ページと、当該適合ページに続く予め定められた枚数の続ページとを抽出する抽出手段と、
前記抽出手段が前記入力ファイルから抽出した１の前記適合ページと１以上の前記続ページとを含む出力ファイルを作成する作成手段と
を含むファイル再構築装置。
【請求項４】
前記入力ファイルにおける各ページの画像と、前記条件として予め定められた基準画像とを照合する照合手段をさらに含み、
前記抽出手段は、前記入力ファイルのうち前記照合手段で前記基準画像との照合が成功したページを、前記適合ページとして抽出すること
を特徴とする請求項１乃至３のいずれか１項記載のファイル再構築装置。
【請求項５】
前記条件における前記基準画像が、第１基準画像と第２基準画像とを含んでいる場合に、
前記作成手段は、前記入力ファイルのうち前記照合手段で前記第１基準画像との照合が成功した１以上の適合ページと、当該入力ファイルのうち当該照合手段で前記第２基準画像との照合が成功した１以上の適合ページとを含む前記出力ファイルを作成すること
を特徴とする請求項４記載のファイル再構築装置。
【請求項６】
前記条件が、前記基準画像として一方の基準画像を含む第１条件と当該基準画像として他方の基準画像を含む第２条件とを含んでいる場合に、
前記作成手段は、前記出力ファイルとして、前記入力ファイルのうち前記照合手段で前記一方の基準画像との照合が成功した２以上のページを含む第１出力ファイルと、当該入力ファイルのうち当該照合手段で前記他方の基準画像との照合が成功した２以上のページを含む第２出力ファイルとを作成すること
を特徴とする請求項４または５記載のファイル再構築装置。
【請求項７】
コンピュータに、
複数のページを含む入力ファイルから、予め決められた条件に適合する適合ページを抽出する機能と、
前記入力ファイルから抽出した２以上の前記適合ページを含む出力ファイルを作成する機能と
を実現させるプログラム。
【請求項８】
コンピュータに、
複数のページを含む入力ファイルから、予め決められた条件に適合する適合ページを抽出する機能と、
前記入力ファイルから抽出した１の前記適合ページと、当該入力ファイルにおいて当該適合ページに連続し且つ前記条件に適合しないことで当該入力ファイルから抽出しなかった１以上の不適合ページとを含む出力ファイルを作成する機能と
を実現させるプログラム。
【請求項９】
コンピュータに、
複数のページを含む入力ファイルから、予め決められた条件に適合する適合ページと、当該適合ページに続く予め定められた枚数の続ページとを抽出する機能と、
前記入力ファイルから抽出した１の前記適合ページと１以上の前記続ページとを含む出力ファイルを作成する機能と
を実現させるプログラム。
【発明の詳細な説明】
【技術分野】
【０００１】
本発明は、ファイル再構築装置およびプログラムに関する。
【背景技術】
【０００２】
特許文献１には、画像データと画像データの特徴量とを記憶する蓄積装置に記憶された画像データを、あるグループに含めるべき旨の指示が与えられた場合に、画像データの特徴量とグループに対応付けられた特徴量とを比較することにより、画像データをグループに含めることが妥当か否かを判断し、妥当である場合には画像データをグループに含めて蓄積装置に格納し、妥当でない場合には妥当でない旨のメッセージを出力するようにした画像データ分類装置が記載されている。
【０００３】
また、特許文献２には、帳票などの文書をイメージデータとして取得し、取得したイメージデータを帳票の種類毎に分類を行い保存するイメージ処理システムにおいて、分類対象の帳票の特徴を保持し、帳票の特徴を利用して取得したイメージデータから帳票の識別を行い、識別結果からイメージデータの分類先が特定できない場合は、２枚目の帳票のイメージデータを取得して帳票の識別を行い、識別結果を用いて分類先を特定するようにしたイメージ処理システムが記載されている。
【先行技術文献】
【特許文献】
【０００４】
【特許文献１】特開２００４−２８７８２９号公報
【特許文献２】特開２００５−３１９３４号公報
【発明の概要】
【発明が解決しようとする課題】
【０００５】
ここで、複数のページを含む入力ファイルに対し、ページを単位として基準画像との照合を行う構成を採用した場合、照合が成功したページは、１ページを単位としてファイル化され、出力（分類）されることになる。通常、１つの入力ファイルに含まれる複数のページには、例えば前後関係などの相関が存在することがある。ただし、照合が成功したページをページ単位でファイル化する手法を採用した場合には、分類後に、１つの入力ファイルにおいて照合が成功した複数のページを参照したり、１つの入力ファイルにおいて照合が成功したページおよび照合が失敗したページを含む複数のページを参照したりすることが困難となっていた。
本発明は、複数のページを含む入力ファイルから抽出されたページを含む２以上のページを、後で参照しやすくすることを目的とする。
【課題を解決するための手段】
【０００６】
請求項１記載の発明は、複数のページを含む入力ファイルから、予め決められた条件に適合する適合ページを抽出する抽出手段と、前記抽出手段が前記入力ファイルから抽出した２以上の前記適合ページを含む出力ファイルを作成する作成手段とを含むファイル再構築装置である。
請求項２記載の発明は、複数のページを含む入力ファイルから、予め決められた条件に適合する適合ページを抽出する抽出手段と、前記抽出手段が前記入力ファイルから抽出した１の前記適合ページと、当該入力ファイルにおいて当該適合ページに連続し且つ前記条件に適合しないことで当該抽出手段が当該入力ファイルから抽出しなかった１以上の不適合ページとを含む出力ファイルを作成する作成手段とを含むファイル再構築装置である。
請求項３記載の発明は、複数のページを含む入力ファイルから、予め決められた条件に適合する適合ページと、当該適合ページに続く予め定められた枚数の続ページとを抽出する抽出手段と、前記抽出手段が前記入力ファイルから抽出した１の前記適合ページと１以上の前記続ページとを含む出力ファイルを作成する作成手段とを含むファイル再構築装置である。
請求項４記載の発明は、前記入力ファイルにおける各ページの画像と、前記条件として予め定められた基準画像とを照合する照合手段をさらに含み、前記抽出手段は、前記入力ファイルのうち前記照合手段で前記基準画像との照合が成功したページを、前記適合ページとして抽出することを特徴とする請求項１乃至３のいずれか１項記載のファイル再構築装置である。
請求項５記載の発明は、前記条件における前記基準画像が、第１基準画像と第２基準画像とを含んでいる場合に、前記作成手段は、前記入力ファイルのうち前記照合手段で前記第１基準画像との照合が成功した１以上の適合ページと、当該入力ファイルのうち当該照合手段で前記第２基準画像との照合が成功した１以上の適合ページとを含む前記出力ファイルを作成することを特徴とする請求項４記載のファイル再構築装置である。
請求項６記載の発明は、前記条件が、前記基準画像として一方の基準画像を含む第１条件と当該基準画像として他方の基準画像を含む第２条件とを含んでいる場合に、前記作成手段は、前記出力ファイルとして、前記入力ファイルのうち前記照合手段で前記一方の基準画像との照合が成功した２以上のページを含む第１出力ファイルと、当該入力ファイルのうち当該照合手段で前記他方の基準画像との照合が成功した２以上のページを含む第２出力ファイルとを作成することを特徴とする請求項４または５記載のファイル再構築装置である。
請求項７記載の発明は、コンピュータに、複数のページを含む入力ファイルから、予め決められた条件に適合する適合ページを抽出する機能と、前記入力ファイルから抽出した２以上の前記適合ページを含む出力ファイルを作成する機能とを実現させるプログラムである。
請求項８記載の発明は、コンピュータに、複数のページを含む入力ファイルから、予め決められた条件に適合する適合ページを抽出する機能と、前記入力ファイルから抽出した１の前記適合ページと、当該入力ファイルにおいて当該適合ページに連続し且つ前記条件に適合しないことで当該入力ファイルから抽出しなかった１以上の不適合ページとを含む出力ファイルを作成する機能とを実現させるプログラムである。
請求項９記載の発明は、コンピュータに、複数のページを含む入力ファイルから、予め決められた条件に適合する適合ページと、当該適合ページに続く予め定められた枚数の続ページとを抽出する機能と、前記入力ファイルから抽出した１の前記適合ページと１以上の前記続ページとを含む出力ファイルを作成する機能とを実現させるプログラムである。
【発明の効果】
【０００７】
請求項１記載の発明によれば、複数のページを含む入力ファイルから抽出されたページを含む２以上のページを、後で参照しやすくすることができる。
請求項２記載の発明によれば、複数のページを含む入力ファイルから抽出されたページを含む２以上のページを、後で参照しやすくすることができる。
請求項３記載の発明によれば、複数のページを含む入力ファイルから抽出されたページを含む２以上のページを、後で参照しやすくすることができる。
請求項４記載の発明によれば、基準画像に対応したページを含む出力ファイルを得ることができる。
請求項５記載の発明によれば、内容が異なる複数の基準画像に対応したページを含む出力ファイルを得ることができる。
請求項６記載の発明によれば、内容が異なる複数の基準画像毎の出力ファイルを得ることができる。
請求項７記載の発明によれば、複数のページを含む入力ファイルから抽出されたページを含む２以上のページを、後で参照しやすくすることができる。
請求項８記載の発明によれば、複数のページを含む入力ファイルから抽出されたページを含む２以上のページを、後で参照しやすくすることができる。
請求項９記載の発明によれば、複数のページを含む入力ファイルから抽出されたページを含む２以上のページを、後で参照しやすくすることができる。
【図面の簡単な説明】
【０００８】
【図１】本実施の形態の画像データ振分システムの構成の一例を示す図である。
【図２】画像形成装置に設けられた制御部の構成を示すブロック図である。
【図３】ルールテーブルの概要を説明するための図である。
【図４】サーバ装置に設けられた画像記憶部の構成を示すブロック図である。
【図５】（ａ）〜（ｅ）は、入力ファイルの一例を示す図である。
【図６】抽出結合振分処理の手順を説明するためのフローチャートである。
【図７】抽出結合振分処理に関する第１の具体例を説明するための図である。
【図８】抽出結合振分処理に関する第２の具体例を説明するための図である。
【図９】抽出結合振分処理に関する第３の具体例を説明するための図である。
【図１０】連続結合振分処理の手順を説明するためのフローチャートである。
【図１１】図１０に示す一時保存領域出力処理（サブルーチン）の手順を説明するためのフローチャートである。
【図１２】連続結合振分処理に関する第１の具体例を説明するための図である。
【図１３】連続結合振分処理に関する第２の具体例を説明するための図である。
【発明を実施するための形態】
【０００９】
以下、添付図面を参照して、本発明の実施の形態について詳細に説明する。
［画像データ振分システムの構成］
図１は、本実施の形態の画像データ振分システムの構成の一例を示す図である。
この画像データ振分システムは、スキャン機能、プリント機能、コピー機能およびファクシミリ機能を備えることで所謂複合機として動作する画像形成装置１と、画像形成装置１に接続されるネットワーク２および電話回線６と、ネットワーク２に接続される端末装置３およびサーバ装置５と、電話回線６に接続されるファクシミリ装置４とを有している。
【００１０】
ここで、ネットワーク２は、インターネット回線等によって構成されている。また、端末装置３は、ネットワーク２を介して、画像形成装置１との間で各種データ（画像データを含む）の送受信を行うものであり、例えばＰＣ（Personal Computer）で構成される。さらに、ファクシミリ装置４は、電話回線６を介して、画像形成装置１との間でファクシミリを送受信する。さらにまた、サーバ装置５は、ネットワーク２を介して、画像形成装置１との間で各種データ（画像データやプログラムを含む）を送受信する。
【００１１】
また、画像形成装置１は、紙等の記録媒体に記録された画像を読み取る画像読取部１０と、紙等の記録媒体に画像を形成する画像形成部２０と、ユーザから電源のオン／オフ、スキャン機能、プリント機能、コピー機能およびファクシミリ機能を用いた動作に関連する指示を受け付けるとともに、ユーザに対してメッセージを表示するユーザインタフェース（ＵＩ）３０と、ネットワーク２を介して端末装置３およびサーバ装置５との間でデータの送受信を行うとともに、電話回線６を介してファクシミリ装置４との間でデータの送受信を行う送受信部４０と、これら画像読取部１０、画像形成部２０、ＵＩ３０および送受信部４０の動作を制御する制御部５０とを備えている。
【００１２】
［画像データ振分システムの動作］
ここで、図１に示す画像データ振分システムで実行される振分処理の概要について、簡単に説明しておく。
【００１３】
まず、画像形成装置１に設けられた制御部５０が、制御部５０の外部から１つの入力ファイルを取得する。ここで、入力ファイルは、１以上のページを含んで構成されている。また、入力ファイルとしては、自機外の端末装置３からネットワーク２および送受信部４０を介して送られてきたもの、自機外のファクシミリ装置４から電話回線６および送受信部４０を介して送られてきたもの、自機内の画像読取部１０で原稿を読み取ることによって得られたもの、等が挙げられる。
【００１４】
次に、制御部５０が、外部から取得した１つの入力ファイルをページ単位で解析する。続いて、制御部５０は、入力ファイルを構成する各ページの解析結果に基づいて、各ページの振分を行い、１以上の出力ファイルに再構築する。そして、制御部５０は、１つの入力ファイルを再構築することで得た１以上の出力ファイルを、自機外のサーバ装置５に向けて出力する。
【００１５】
制御部５０から出力された各出力ファイルは、送受信部４０およびネットワーク２を介してサーバ装置５へと送られる。そして、サーバ装置５は、受け取った各出力ファイルを記憶する。
【００１６】
［画像形成装置に設けられた制御部の構成］
図２は、画像形成装置１に設けられた制御部５０の構成を示すブロック図である。
なお、図２は、図１に示す画像データ振分システムで実行される画像データの振分処理に関する機能ブロックのみを示しており、画像読取部１０等の動作の制御に関する機能ブロックについては、その記載を省略している。
【００１７】
制御部５０は、プログラムを読み出して実行するＣＰＵ（Central Processing Unit）と、ＣＰＵが実行するプログラムやプログラムを実行する際に使用するデータ等を記憶するＲＯＭ（Read Only Memory）と、プログラムを実行する際に一時的に生成されるデータ等を記憶するＲＡＭ（Random Access Memory）と、プログラムを実行する際に使用するデータ等を記憶するとともに、その内容を書き換え可能であって、電源を供給しなくてもその記憶内容を保持することが可能なＥＥＰＲＯＭ（Electrically Erasable Programmable Read-Only Memory）とを備えている（すべて図示せず）。ここで、制御部５０に設けられたＣＰＵが実行するプログラムは、予めＲＯＭやＥＥＰＲＯＭに記憶させておく形態の他、例えばＣＤ−ＲＯＭ等の記憶媒体に格納してＣＰＵに提供したり、あるいは、ネットワーク２を介してＣＰＵに提供したりすることも可能である。
【００１８】
制御部５０は、入出力部５１と、分割部５２と、照合部５３と、再構築部５４と、記憶部５５とを備えている。また、記憶部５５は、ルール格納領域５５ａと一時保存領域５５ｂとを含んでいる。
【００１９】
入出力部５１は、制御部５０と画像読取部１０、画像形成部２０、ＵＩ３０および送受信部４０との間で、各種データ（上記入力ファイルおよび上記出力ファイルを含む）の入出力を行う。
【００２０】
分割部５２は、入出力部５１から入力されてくる入力ファイルが複数のページを含む場合に、入力ファイルをページ単位に分割する。なお、以下の説明においては、入力ファイルを構成する各ページの画像データを、「対象画像データ」と称する。
【００２１】
照合部５３は、分割部５２から入力されてくる対象画像データと、記憶部５５のルール格納領域５５ａに格納されるルールテーブルに登録された基準画像データとの照合を行う。この照合部５３で採用される照合方式としては、公知の各種手法を適用してかまわない。また、照合部５３は、対象画像データと基準画像データとの照合結果に基づき、必要に応じて、特定のページの対象画像データを、記憶部５５の一時保存領域５５ｂに保存させる。なお、ルールテーブルおよび基準画像データの詳細については後述する。
【００２２】
再構築部５４は、照合部５３による対象画像データと基準画像データとの照合結果に基づき、上記入力ファイルを、それぞれが１以上のページを含む１以上の出力ファイルに再構築する。
【００２３】
記憶部５５では、ルール格納領域５５ａが上記ルールテーブルを格納し、一時保存領域５５ｂが特定のページの対象画像データを記憶する。ここで、ルール格納領域５５ａはＥＥＰＲＯＭ等で構成するとよく、一時保存領域５５ｂはＲＡＭ等で構成するとよい。
【００２４】
ここで、本実施の形態では、制御部５０がファイル再構築装置の一例となっている。また、分割部５２、照合部５３、再構築部５４および記憶部５５が、抽出手段および作成手段の一例となっている。さらに、照合部５３は、照合手段の一例となっている。
【００２５】
［ルールテーブルの概要］
図３は、画像データの振分処理において、振分ルールとして用いられるルールテーブルの概要を説明するための図である。このルールテーブルは、図２に示す記憶部５５におけるルール格納領域５５ａに格納されている。
【００２６】
本実施の形態のルールテーブルは、全体的なルール（全体ルールという）にそれぞれ付与された全体ルール名と、各全体ルールに対して設定された振分種別と、各全体ルール内において設定された１以上のルール（個別ルールという）に付与された個別ルール名と、各個別ルールにおいて設定された出力先、ファイル名接頭辞および基準画像とを対応付けたものとなっている。ここで、図３に示す例においては、４つの全体ルール（第１全体ルールＲ１〜第４全体ルールＲ４）が、ルールテーブルに登録されている。
【００２７】
図３に示すルールテーブルにおいて、振分種別は、画像データの振分処理の種別を示すものであって、抽出結合（振分処理）または連続結合（振分処理）が設定されるようになっている。ここで、「抽出結合振分処理」は、入力ファイルを構成する１以上のページ（対象画像データ）から、帳票（基準画像データ）との照合が成功したページ（照合成功ページ）を抽出するとともに、抽出した１以上の照合成功ページを結合し、１まとまりの出力ファイルとする処理をいう。また、「連続結合振分処理」は、入力ファイルを構成する１以上のページ（対象画像データ）から、帳票（基準画像データ）との照合が成功したページ（照合成功ページ）、および、この照合成功ページに連続し且つ帳票（基準画像データ）との照合が失敗したページ（照合失敗ページ）を抽出するとともに、抽出した１つの照合成功ページおよびこれに連続する１以上の照合失敗ページを結合し、１まとまりの出力ファイルとする処理をいう。なお、「抽出結合振分処理」および「連続結合振分処理」の詳細については後述する。
【００２８】
また、個別ルールにおける出力先は、個別ルールに適合する出力ファイルを記憶させるためのフォルダ名となっている。なお、この例においては、各出力先が、すべてサーバ装置５の画像記憶部５００（後述する図４参照）に設けられたフォルダとなっている。
【００２９】
さらに、個別ルールにおけるファイル名接頭辞は、個別ルールに適合する出力ファイルのファイル名の先頭に付与される名称となっている。なお、この例においては、各ファイル名接頭辞が、すべて、後述する基準画像データの名称から決められている。
【００３０】
さらにまた、個別ルールにおける基準画像は、１以上の基準画像データを含むものとなっている。ここで、４つの全体ルールのそれぞれについて個別に説明する前に、図３に記載される基準画像における『稟議書』、『申込書Ａ』、『申込書Ｂ』、『申込書Ｃ』、『申込書Ｄ』のそれぞれについて説明しておく。
【００３１】
まず、『稟議書』は、所謂稟議のための書類であって、特定のフォームで構成されている。また、『申込書Ａ』は、例えば契約Ａに対する申し込みを行うための書類であって、『稟議書』とは異なる特定のフォームで構成されている。さらに、『申込書Ｂ』は、例えば契約Ｂに対する申し込みを行うための書類であって、『稟議書』および『申込書Ａ』とは異なる特定のフォームで構成されている。さらにまた、『申込書Ｃ』は、例えば契約Ｃに対する申し込みを行うための書類であって、『稟議書』、『申込書Ａ』および『申込書Ｂ』とは異なる特定のフォームで構成されている。そして、『申込書Ｄ』は、例えば契約Ｄに対する申し込みを行うための書類であって、『稟議書』、『申込書Ａ』、『申込書Ｂ』および『申込書Ｃ』とは異なる特定のフォームで構成されている。以下では、これら『稟議書』、『申込書Ａ』、『申込書Ｂ』、『申込書Ｃ』および『申込書Ｄ』のように、特定のフォームで構成されるとともに、ルールテーブルに基準画像として登録されている書類（電子文書を含む）を、「帳票」と呼ぶことにする。
【００３２】
なお、全体ルールの内容は、ユーザにより設定され且つ登録される。すなわち、画像形成装置１に設けられたＵＩ３０や、ネットワーク２を介して画像形成装置１と接続される端末装置３等から受け付けた、全体ルール（個別ルールを含む）に関する設定が、制御部５０における記憶部５５にルール格納領域５５ａに登録される。そして、この例では、ルール格納領域５５ａに格納されている複数の全体ルールのうちのいずれか１つが選択され、制御部５０に設定される。
【００３３】
では、図３を参照しつつ、第１全体ルールＲ１〜第４全体ルールＲ４のそれぞれの内容について、具体的に説明を行う。
【００３４】
第１全体ルールＲ１では、振分種別が「抽出結合」に設定されており、個別ルールは１つ（個別ルール名：個別ルールＡ）設定されている。ここで、個別ルールＡにおいては、出力先が「ルールＡフォルダ」に設定されており、ファイル名接頭辞が「申込書ＡＢＣＤ＿」に設定されている。また、個別ルールＡにおいては、基準画像が「稟議書」、「申込書Ａ」、「申込書Ｂ」、「申込書Ｃ」および「申込書Ｄ」に設定されている。
【００３５】
第２全体ルールＲ２では、振分種別が「抽出結合」に設定されており、個別ルールは２つ（個別ルール名：個別ルールＢおよび個別ルールＣ）設定されている。ここで、個別ルールＢにおいては、出力先が「ルールＢフォルダ」に設定されており、ファイル名接頭辞が「申込書ＡＢ＿」に設定されている。また、個別ルールＢにおいては、基準画像が「稟議書」、「申込書Ａ」および「申込書Ｂ」に設定されている。これに対し、個別ルールＣにおいては、出力先が「ルールＣフォルダ」に設定されており、ファイル名接頭辞が「申込書ＣＤ＿」に設定されている。また、個別ルールＣにおいては、基準画像が「申込書Ｃ」および「申込書Ｄ」に設定されている。そして、第２全体ルールＲ２に含まれる個別ルールＣと個別ルールＤとでは、個別ルールの内容（出力先、ファイル名接頭辞および基準画像）が重複しないようになっている。
【００３６】
第３全体ルールＲ３では、振分種別が「連続結合」に設定されており、個別ルールは１つ（個別ルール名：個別ルールＤ）設定されている。ここで、個別ルールＤにおいては、出力先が「ルールＤフォルダ」に設定されており、ファイル名接頭辞が「稟議書ｎ＿」（ただしｎは序数）に設定されている。また、個別ルールＤにおいては、基準画像が「稟議書」に設定されている。
【００３７】
第４全体ルールＲ４では、振分種別が「連続結合」に設定されており、個別ルールは２つ（個別ルール名：個別ルールＥおよび個別ルールＦ）設定されている。ここで、個別ルールＥにおいては、出力先が「ルールＥフォルダ」に設定されており、ファイル名接頭辞が「稟議書ｎ＿」（ただしｎは序数）に設定されている。また、個別ルールＥにおいては、基準画像が「稟議書」に設定されている。一方、個別ルールＦにおいては、出力先が「ルールＦフォルダ」に設定されており、ファイル名接頭辞が「申込書Ａｎ＿」（ただしｎは序数）に設定されている。また、個別ルールＦにおいては、基準画像が「申込書Ａ」に設定されている。そして、第４全体ルールＲ４に含まれる個別ルールＥと個別ルールＦとでは、個別ルールの内容（出力先、ファイル名接頭辞および基準画像）が重複しないようになっている。
【００３８】
このように、図３に示す例では、第１全体ルールＲ１および第２全体ルールＲ２の振分種別が、「抽出結合」に設定されているのに対し、第３全体ルールＲ３および第４全体ルールＲ４の振分種別が、「連続結合」に設定されている点が異なる。また、振分種別が「抽出結合」に設定されている第１全体ルールＲ１および第２全体ルールＲ２では、第１全体ルールＲ１に設定される個別ルールの数が１つ（単数）であるのに対し、第２全体ルールＲ２に設定される個別ルールの数が２つ（複数）である点が異なる。一方、振分種別が「連続結合」に設定されている第３全体ルールＲ３および第４全体ルールＲ４でも、第３全体ルールＲ３に設定される個別ルールの数が１つ（単数）であるのに対し、第４全体ルールＲ４に設定される個別ルールの数が２つ（複数）である点が異なる。
【００３９】
ここで、本実施の形態では、第１全体ルールＲ１および第２全体ルールＲ２を構成する個別ルールに設定された複数の基準画像のうちの２つが、第１基準画像および第２基準画像としての機能を有している。また、本実施の形態では、第２全体ルールＲ２および第４全体ルールＲ４を構成する複数の個別ルールのそれぞれに設定された基準画像が、一方の基準画像（第１条件）および他方の基準画像（第２条件）としての機能を有している。
【００４０】
［サーバ装置に設けられた画像記憶部の構成］
図４は、図１に示すサーバ装置５に設けられた画像記憶部５００の構成を示す図である。
画像記憶部５００は、ＨＤＤ（Hard Disk Drive）やＳＳＤ（Solid State Drive）等の補助記憶装置で構成されている。この例において、画像記憶部５００の記憶領域には、ルールＡフォルダ５０１、ルールＢフォルダ５０２、ルールＣフォルダ５０３、ルールＤフォルダ５０４、ルールＥフォルダ５０５、ルールＦフォルダ５０６およびルール外フォルダ５０７が設けられている。
【００４１】
ルールＡフォルダ５０１は、図３に示す個別ルールＡの出力先に対応するものであって、個別ルールＡを満足する画像データを含んだ出力ファイルを格納する。ルールＢフォルダ５０２は、図３に示す個別ルールＢの出力先に対応するものであって、個別ルールＢを満足する画像データを含んだ出力ファイルを格納する。ルールＣフォルダ５０３は、図３に示す個別ルールＣの出力先に対応するものであって、個別ルールＣを満足する画像データを含んだ出力ファイルを格納する。ルールＤフォルダ５０４は、図３に示す個別ルールＤの出力先に対応するものであって、個別ルールＤを満足する画像データを含んだ出力ファイルを格納する。ルールＥフォルダ５０５は、図３に示す個別ルールＥの出力先に対応するものであって、個別ルールＥを満足する画像データを含んだ出力ファイルを格納する。ルールＦフォルダ５０６は、図３に示す個別ルールＦの出力先に対応するものであって、個別ルールＦを満足する画像データを含んだ出力ファイルを格納する。ルール外フォルダ５０７は、各全体ルールにおいて設定される個別ルールを満足しない画像データを含んだ出力ファイルを格納する。具体的に説明すると、ルール外フォルダ５０７は、例えば第１全体ルールＲ１が設定されている場合は、個別ルールＡを満足しない画像データを含んだ出力ファイルを格納し、また、例えば第２全体ルールＲ２が設定されている場合は、個別ルールＢおよび個別ルールＣを満足しない画像データを含む出力ファイルを格納する。
【００４２】
［入力ファイル］
図５は、本実施の形態で用いられる入力ファイルの一例を示す図である。ここで、図５（ａ）は第１入力ファイルＦ１を、図５（ｂ）は第２入力ファイルＦ２を、図５（ｃ）は第３入力ファイルＦ３を、図５（ｄ）は第４入力ファイルＦ４を、図５（ｅ）は第５入力ファイルＦ５を、それぞれ示している。なお、これら第１入力ファイルＦ１〜第５入力ファイルＦ５は、後述する具体例の説明において用いられる。
【００４３】
ここで、図５（ａ）〜（ｅ）のそれぞれについて個別に説明する前に、図５に記載される「稟議書ｍ」、「申込書Ａｍ」、「申込書Ｂｍ」、「申込書Ｃｍ」、「申込書Ｄｍ」および「添付資料ｍ」（ただしｍは序数）のそれぞれについて説明しておく。
【００４４】
まず、「稟議書ｍ」は、図３に示す『稟議書』のフォームに、例えば手書きによる文字等が記入されたものを意味する。また、「申込書Ａｍ」は、図３に示す『申込書Ａ』のフォームに、例えば手書きによる文字等が記入されたものを意味する。さらに、「申込書Ｂｍ」は、図３に示す『申込書Ｂ』のフォームに、例えば手書きによる文字等が記入されたものを意味する。さらにまた、「申込書Ｃｍ」は、図３に示す『申込書Ｃ』のフォームに、例えば手書きによる文字等が記入されたものを意味する。また、「申込書Ｄｍ」は、図３に示す『申込書Ｄ』のフォームに、例えば手書きによる文字等が記入されたものを意味する。そして、「添付資料ｍ」は、上記各種帳票（『稟議書』、『申込書Ａ』、『申込書Ｂ』、『申込書Ｃ』および『申込書Ｄ』）以外のものを指す。
【００４５】
図５（ａ）に示す第１入力ファイルＦ１は、７ページ分の対象画像データを含んでいる。ここで、７ページ分の対象画像データのうち、２ページ目（Ｐ２）および３ページ目（Ｐ３）は帳票となっており、残りのページ（Ｐ１、Ｐ４〜Ｐ７：５ページ分）は添付資料（添付資料１〜５）となっている。そして、２ページある帳票のうち、２ページ目（Ｐ２）は、基準画像『稟議書』に対応する稟議書１（１つ目）となっており、３ページ目（Ｐ３）は、基準画像『申込書Ａ』に対応する申込書Ａ１（１つ目）となっている。このように、第１入力ファイルＦ１は、帳票として、１ページ分の『稟議書』と、１ページ分の『申込書Ａ』とを含んでいる。
【００４６】
図５（ｂ）に示す第２入力ファイルＦ２は、１２ページ分の対象画像データを含んでいる。ここで、１２ページ分の対象画像データのうち、２ページ目（Ｐ２）、３ページ目（Ｐ３）、６ページ目（Ｐ６）、７ページ目（Ｐ７）、１０ページ目（Ｐ１０）および１１ページ目（Ｐ１１）は帳票となっており、残りのページ（Ｐ１、Ｐ４、Ｐ５、Ｐ８、Ｐ９、Ｐ１２：６ページ分）は添付資料（添付資料１〜６）となっている。そして、６ページある帳票のうち、２ページ目（Ｐ２）は、基準画像『稟議書』に対応する稟議書１（１つ目）となっており、３ページ目（Ｐ３）は、基準画像『申込書Ａ』に対応する申込書Ａ１（１つ目）となっている。また、６ページ目（Ｐ６）は、基準画像『稟議書』に対応する稟議書２（２つ目）となっており、７ページ目（Ｐ７）は、基準画像『申込書Ｂ』に対応する申込書Ｂ１（１つ目）となっている。さらに、１０ページ目（Ｐ１０）は、基準画像『申込書Ｃ』に対応する申込書Ｃ１（１つ目）となっており、１１ページ目（Ｐ１１）は、基準画像『稟議書』に対応する稟議書３（３つ目）となっている。このように、第２入力ファイルＦ２は、帳票として、３ページ分の『稟議書』と、それぞれ１ページ分の『申込書Ａ』、『申込書Ｂ』および『申込書Ｃ』とを含んでいる。
【００４７】
図５（ｃ）に示す第３入力ファイルＦ３は、１２ページ分の対象画像データを含んでいる。ここで、１２ページ分の対象画像データのうち、２ページ目（Ｐ２）、３ページ目（Ｐ３）、６ページ目（Ｐ６）、７ページ目（Ｐ７）、８ページ目（Ｐ８）、１０ページ目（Ｐ１０）および１１ページ目（Ｐ１１）は帳票となっており、残りのページ（Ｐ１、Ｐ４、Ｐ５、Ｐ９、Ｐ１２：５ページ分）は添付資料（添付資料１〜５）となっている。そして、７ページある帳票のうち、２ページ目（Ｐ２）は、基準画像『稟議書』に対応する稟議書１（１つ目）となっており、３ページ目（Ｐ３）は、基準画像『申込書Ａ』に対応する申込書Ａ１（１つ目）となっている。また、６ページ目（Ｐ６）は、基準画像『稟議書』に対応する稟議書２（２つ目）となっており、７ページ目（Ｐ７）は、基準画像『申込書Ｂ』に対応する申込書Ｂ１（１つ目）となっている。さらに、８ページ目（Ｐ８）は、基準画像『申込書Ｃ』に対応する申込書Ｃ１（１つ目）となっており、１０ページ目（Ｐ１０）は、基準画像『申込書Ｄ』に対応する申込書Ｄ１（１つ目）となっている。さらにまた、１１ページ目（Ｐ１１）は、基準画像『稟議書』に対応する稟議書３（３つ目）となっている。このように、第３入力ファイルＦ３は、帳票として、３ページ分の『稟議書』と、それぞれ１ページ分の『申込書Ａ』、『申込書Ｂ』、『申込書Ｃ』および『申込書Ｄ』とを含んでいる。
【００４８】
図５（ｄ）に示す第４入力ファイルＦ４は、７ページ分の対象画像データを含んでいる。ここで、７ページ分の対象画像データのうち、３ページ目（Ｐ３）および６ページ目（Ｐ６）は帳票となっており、残りのページ（Ｐ１、Ｐ２、Ｐ４、Ｐ５、Ｐ７：５ページ分）は添付資料（添付資料１〜５）となっている。そして、２ページある帳票のうち、３ページ目（Ｐ３）は、基準画像『稟議書』に対応する稟議書１（１つ目）となっており、６ページ目（Ｐ３）は、基準画像『稟議書』に対応する稟議書２（２つ目）となっている。このように、第４入力ファイルＦ４は、帳票として、２ページ分の『稟議書』を含んでいる。
【００４９】
図５（ｅ）に示す第５入力ファイルＦ５は、１２ページ分の対象画像データを含んでいる。ここで、１２ページ分の対象画像データのうち、２ページ目（Ｐ２）、３ページ目（Ｐ３）、６ページ目（Ｐ６）、８ページ目（Ｐ８）、１０ページ目（Ｐ１０）、１１ページ目（Ｐ１１）は帳票となっており、残りのページ（Ｐ１、Ｐ４、Ｐ５、Ｐ７、Ｐ９、Ｐ１２：６ページ分）は添付資料（添付資料１〜６）となっている。そして、６ページある帳票のうち、２ページ目（Ｐ２）は、基準画像『稟議書』に対応する稟議書１（１つ目）となっており、３ページ目（Ｐ３）は、基準画像『申込書Ａ』に対応する申込書Ａ１（１つ目）となっている。また、６ページ目（Ｐ６）は、基準画像『稟議書』に対応する稟議書２（２つ目）となっており、８ページ目（Ｐ８）は、基準画像『申込書Ａ』に対応する申込書Ａ２（２つ目）となっている。さらに、１０ページ目（Ｐ１０）は、基準画像『申込書Ａ』に対応する申込書Ａ３（３つ目）となっており、１１ページ目（Ｐ１１）は、基準画像『稟議書』に対応する稟議書３（３つ目）となっている。このように、第５入力ファイルＦ５は、帳票として、３ページ分の『稟議書』と、３ページ分の『申込書Ａ』とを含んでいる。
【００５０】
なお、ここでは、入力ファイルとして５つの例を示したが、入力ファイルの構成はこれに限られるものではなく、ページ数も７ページあるいは１２ページに限定されるものではない。また、ここでは、入力ファイルが、複数のページを含んでいる場合を例としたが、単数のページで構成される場合もあり得る。さらに、ここでは、入力ファイルが、帳票と添付資料とを含むものとして説明を行ったが、帳票のみで構成される場合や、添付資料のみで構成される場合もあり得る。
【００５１】
［画像データ振分システムにおける振分処理］
では、本実施の形態の画像データ振分システムにおける振分処理について、より具体的に説明を行う。なお、ここでは、最初に「抽出結合振分処理」に関する説明を行い、続いて「連続結合振分処理」に関する説明を行うこととする。
【００５２】
［抽出結合振分処理の手順］
図６は、抽出結合振分処理の手順を説明するためのフローチャートである。
本実施の形態において、図６に示す処理は、画像形成装置１に設けられた制御部５０（ＣＰＵ）が実行する。なお、ここでは、画像形成装置１の制御部５０において、事前に、抽出結合振分処理の実行を含んだ全体ルール（図３に示す第１全体ルールＲ１あるいは第２全体ルールＲ２）が、記憶部５５におけるルール格納領域５５ａから読み出されるとともに設定されているものとする。
【００５３】
この処理では、まず、分割部５２が、入出力部５１を介して入力ファイルを取得する（ステップ１０）。すると、分割部５２は、記憶部５５に設けられた一時保存領域５５ｂを初期化する（ステップ１２）。
【００５４】
次に、分割部５２は、ステップ１０で取得した入力ファイルが、複数ページで構成されているか否かを判断する（ステップ１４）。ステップ１４で肯定の判断（ＹＥＳ）を行った場合、分割部５２は、入力ファイルをページ単位に分割し（ステップ１６）、照合部５３へと出力し、次のステップ１８へと進む。一方、ステップ１４で否定の判断（ＮＯ）を行った場合、分割部５２は、入力ファイルを分割することなくそのまま照合部５３へと出力し、次のステップ１８へと進む。
【００５５】
続いて、照合部５３は、ページ番号Ｘを１に設定し（ステップ１８）、入力ファイルにおけるＸページ目の対象画像データと、全体ルールに対応付けられている１以上の基準画像データとの照合を行う。そして、Ｘページ目の照合が成功したか否か（入力ファイルにおけるＸページ目の対象画像とフォームが同じ基準画像が存在するか否か）を判断する（ステップ２０）。
【００５６】
ステップ２０で肯定の判断（ＹＥＳ）を行った場合（Ｘページ目が適合ページであった場合）、照合部５３は、個別ルールに対応付けて、Ｘページ目の対象画像データを記憶部５５の一時保存領域５５ｂに保存し（ステップ２２）、次のステップ２６へと進む。一方、ステップ２０で否定の判断（ＮＯ）を行った場合（Ｘページ目が不適合ページであった場合）、照合部５３は、このＸページ目の対象画像データを再構築部５４へと出力する。再構築部５４は、このＸページ目の対象画像データを１ファイルとして再構築し、個別ルールに対応付けられた出力先へと出力し（ステップ２４）、次のステップ２６へと進む。なお、ステップ２４において、再構築部５４は、得られたファイルを出力ファイルとして、入出力部５１を介して外部（ここでは送受信部４０）に出力する。そして、この出力ファイルは、ネットワーク２を介してサーバ装置５へと送信され、サーバ装置５の画像記憶部５００に設けられたルール外フォルダ５０７に格納される。
【００５７】
次いで、照合部５３は、Ｘページ目の対象画像データが、入力ファイルにおける最終ページであったか否かを判断する（ステップ２６）。ステップ２６において否定の判断（ＮＯ）を行った場合、照合部５３は、ページ番号をＸ＝Ｘ＋１に更新し（ステップ２８）、ステップ２０へと戻って次のページの対象画像データに関する処理を続行する。
【００５８】
一方、ステップ２６において肯定の判断（ＹＥＳ）を行った場合、再構築部５４は、記憶部５５における一時保存領域５５ｂに保存されている１以上のページの対象画像データを、個別ルールを単位として１ファイルに束ねて保存する（ステップ３０）。ここで、ステップ３０では、全体ルールに対応付けられた個別ルールと同じ数のファイル（例えば、個別ルールが１つであれば１つのファイル、個別ルールが２つであれば２つのファイル）が作成される可能性がある。また、ステップ３０では、一時保存領域５５ｂに保存されている対象画像データが１ページ分しかない場合は、この１ページ分の対象画像データを含むファイルが作成されることになる。
【００５９】
それから、再構築部５４は、ステップ３０で作成した各ファイルに対し、各ファイルの元となった入力ファイルのファイル名に、個別ルールに対応付けられたファイル名接頭辞を付加したファイル名を付与する（ステップ３２）。
【００６０】
そして、再構築部５４は、ステップ３２でファイル名が付与された各ファイルを、出力ファイルとして、入出力部５１を介して外部（ここでは送受信部４０）に出力する（ステップ３４）。そして、この出力ファイルは、ネットワーク２を介してサーバ装置５へと送信され、サーバ装置５の画像記憶部５００に設けられたルール外フォルダ５０７以外のフォルダ（この例において、抽出結合振分処理の場合はルールＡフォルダ５０１〜ルールＣフォルダ５０３のいずれか）に格納される。
【００６１】
その後、分割部５２は、次の入力ファイルが存在するか否かを判断する（ステップ３６）。ステップ３６において肯定の判断（ＹＥＳ）を行った場合、分割部５２は、ステップ１０へと戻り、次の入力ファイルに対する処理を続行する。一方、ステップ３６において否定の判断（ＮＯ）を行った場合は、この処理を終了する。
【００６２】
［抽出結合振分処理に関する具体例］
では次に、上述した抽出結合振分処理について、３つの具体例を挙げて説明を行う。
【００６３】
＜第１の具体例＞
図７は、抽出結合振分処理に関する第１の具体例を説明するための図である。
ここで、図中左側には、この例で用いられる振分ルールを示している。また、図中右側上段には、この例で用いられる入力ファイルを示している。さらに、図中右側下段には、この例における振分結果を示している。なお、これらの関係は、後述する図８、図９、図１２および図１３においても同じである。
【００６４】
この第１の具体例において、振分ルールは第１全体ルールＲ１となっている。したがって、設定される個別ルールは個別ルールＡのみとなり、出力先は「ルールＡフォルダ」に、基準画像は「稟議書」、「申込書Ａ」、「申込書Ｂ」、「申込書Ｃ」および「申込書Ｄ」に、それぞれ設定される。
【００６５】
また、この第１の具体例において、入力ファイルは第１入力ファイルＦ１となっている。この第１入力ファイルＦ１は、２ページの帳票（稟議書１および申込書Ａ１）を含む全７ページの対象画像データで構成される（図５（ａ）も参照）。
【００６６】
では、第１全体ルールＲ１が設定されている状態で、第１入力ファイルＦ１に対し、図６に示すフローチャートにしたがって処理を行った場合における振分結果について説明を行う。
【００６７】
この場合、帳票ではない１ページ目（Ｐ１）の添付資料１および４ページ目（Ｐ４）〜７ページ目（Ｐ７）の添付資料２〜５は、それぞれ、ステップ２０で否定の判断（ＮＯ）がなされることにより、ステップ２４においてそれぞれが１つの出力ファイルとして順次出力される。ただし、これら５つの出力ファイル（出力１〜出力５）は、帳票を含むものではないため、その出力先は、個別ルールＡで設定されているルールＡフォルダ５０１ではなく、ルール外フォルダ５０７となる。そして、これら５つの出力ファイル（出力１〜出力５）は、サーバ装置５の画像記憶部５００に設けられたルール外フォルダ５０７に記憶される。
【００６８】
これに対し、帳票である２ページ目（Ｐ２）の稟議書１および３ページ目（Ｐ３）の申込書Ａ１は、それぞれ、ステップ２０で肯定の判断（ＹＥＳ）がなされることにより、ステップ２２においてそれぞれが個別ルールＡに対応付けられた状態で一時保存領域５５ｂに保存される。そして、最終ページである７ページ目（Ｐ７）の照合が行われることに伴い、ステップ２６で肯定の判断（ＹＥＳ）がなされると、個別ルールＡに対応付けられたこれら２つのページは、ステップ３０において１つのファイルに束ねられた後、ステップ３２で、元の入力ファイル名（ここでは「Ｆ１」とする）に、個別ルールＡに対応付けられたファイル名接頭辞「申込書ＡＢＣＤ＿」を加えたファイル名「申込書ＡＢＣＤ＿Ｆ１」が付与される。それから、ファイル名「申込書ＡＢＣＤ＿Ｆ１」が付与された出力ファイル（出力６）は、ステップ３４において、個別ルールＡで設定されているルールＡフォルダ５０１を出力先として出力される。その後、この出力ファイル（出力６）は、サーバ装置５の画像記憶部５００に設けられたルールＡフォルダ５０１に記憶される。
【００６９】
なお、ステップ３０で、複数のページを束ねて１つのファイルを作成する際、新たなファイル（出力ファイル）におけるページ順は、元となった入力ファイルにおけるページ順と合わせる（入力ファイルにおけるページ番号の若い順に並べる）とよい。なお、このことは、後述する、図８に示す第２の具体例および図９に示す第３の具体例においても同じである。
【００７０】
＜第２の具体例＞
図８は、抽出結合処理に関する第２の具体例を説明するための図である。
この第２の具体例において、振分ルールは上記第１の具体例と同じく第１全体ルールＲ１となっている。したがって、設定される個別ルールは個別ルールＡのみとなり、出力先は「ルールＡフォルダ」に、基準画像は「稟議書」、「申込書Ａ」、「申込書Ｂ」、「申込書Ｃ」および「申込書Ｄ」に、それぞれ設定される。
【００７１】
また、この第２の具体例において、入力ファイルは第２入力ファイルＦ２となっている。この第２入力ファイルＦ２は、６ページの帳票（稟議書１、申込書Ａ１、稟議書２、申込書Ｂ１、申込書Ｃ１および稟議書３）を含む全１２ページの対象画像データで構成される（図５（ｂ）も参照）。
【００７２】
このように、第１の具体例と第２の具体例とは、振分ルールは同じである一方、処理対象となる入力ファイルの内容が異なる。
【００７３】
では、第１全体ルールＲ１が設定されている状態で、第２入力ファイルＦ２に対し
図６に示すフローチャートにしたがって処理を行った場合における振分結果について説明を行う。
【００７４】
この場合、帳票ではない１ページ目（Ｐ１）の添付資料１、４ページ目（Ｐ４）の添付資料２、５ページ目（Ｐ５）の添付資料３、８ページ目（Ｐ８）の添付資料４、９ページ目（Ｐ９）の添付資料５および１２ページ目（Ｐ１２）の添付資料６は、それぞれ、ステップ２０で否定の判断（ＮＯ）がなされることにより、ステップ２４においてそれぞれが１つの出力ファイルとして順次出力される。ただし、これら６つの出力ファイル（出力１〜出力６）は、帳票を含むものではないため、その出力先は、個別ルールＡで設定されているルールＡフォルダ５０１ではなく、ルール外フォルダ５０７となる。そして、これら６つの出力ファイル（出力１〜出力６）は、サーバ装置５の画像記憶部５００に設けられたルール外フォルダ５０７に記憶される。
【００７５】
これに対し、帳票である２ページ目（Ｐ２）の稟議書１、３ページ目（Ｐ３）の申込書Ａ１、６ページ目（Ｐ６）の稟議書２、７ページ目（Ｐ７）の申込書Ｂ１、１０ページ目（Ｐ１０）の申込書Ｃ１および１１ページ目（Ｐ１１）の稟議書３は、それぞれ、ステップ２０で肯定の判断（ＹＥＳ）がなされることにより、ステップ２２においてそれぞれが個別ルールＡに対応付けられた状態で一時保存領域５５ｂに保存される。そして、最終ページである１２ページ目（Ｐ１２）の照合が行われることに伴い、個別ルールＡに対応付けられたこれら６つのページは、ステップ３０において１つのファイルに束ねられた後、ステップ３２で、元の入力ファイル名（ここでは「Ｆ２」とする）に、個別ルールＡに対応付けられたファイル名接頭辞「申込書ＡＢＣＤ＿」を加えたファイル名「申込書ＡＢＣＤ＿Ｆ２」が付与される。それから、ファイル名「申込書ＡＢＣＤ＿Ｆ２」が付与された出力ファイル（出力７）は、ステップ３４において、個別ルールＡで設定されているルールＡフォルダ５０１を出力先として出力される。その後、この出力ファイル（出力７）は、サーバ装置５の画像記憶部５００に設けられたルールＡフォルダ５０１に記憶される。
【００７６】
＜第３の具体例＞
図９は、抽出結合処理に関する第３の具体例を説明するための図である。
この第３の具体例において、振分ルールは上記第１の具体例および上記第２の具体例とは異なる第２全体ルールＲ２となっている。したがって、設定される個別ルールは個別ルールＢおよび個別ルールＣの２つとなる。ここで、個別ルールＢにおける出力先は「ルールＢフォルダ」に、基準画像は「稟議書」、「申込書Ａ」および「申込書Ｂ」に、それぞれ設定される。一方、個別ルールＣにおける出力先は「ルールＣフォルダ」に、基準画像は「申込書Ｃ」および「申込書Ｄ」に、それぞれ設定される。
【００７７】
また、この第３の具体例において、入力ファイルは第３入力ファイルＦ３となっている。この第３入力ファイルＦ３は、７ページの帳票を含む全１２ページの対象画像データで構成される（図５（ｃ）も参照）。
【００７８】
このように、第１、第２の具体例と第３の具体例とは、振分ルールと処理対象となる入力ファイルの内容とが異なる。
【００７９】
では、第２全体ルールＲ２が設定されている状態で、第３入力ファイルＦ３に対し、図６に示すフローチャートにしたがって処理を行った場合における振分結果について説明を行う。
【００８０】
この場合、帳票ではない１ページ目（Ｐ１）の添付資料１、４ページ目（Ｐ４）の添付資料２、５ページ目（Ｐ５）の添付資料３、９ページ目（Ｐ９）の添付資料４および１２ページ目（Ｐ１２）の添付資料５は、それぞれ、ステップ２０で否定の判断（ＮＯ）がなされることにより、ステップ２４においてそれぞれが１つの出力ファイルとして順次出力される。ただし、これら５つの出力ファイル（出力１〜出力５）は、帳票を含むものではないため、その出力先は、個別ルールＢで設定されているルールＢフォルダ５０２や個別ルールＣで設定されているルールＣフォルダ５０３ではなく、ルール外フォルダ５０７となる。そして、これら５つの出力ファイル（出力１〜出力５）は、サーバ装置５の画像記憶部５００に設けられたルール外フォルダ５０７に記憶される。
【００８１】
これに対し、帳票である２ページ目（Ｐ２）の稟議書１、３ページ目（Ｐ３）の申込書Ａ１、６ページ目（Ｐ６）の稟議書２、７ページ目（Ｐ７）の申込書Ｂ１、８ページ目（Ｐ８）の申込書Ｃ１、１０ページ目（Ｐ１０）の申込書Ｄ１および１１ページ目（Ｐ１１）の稟議書３は、それぞれ、ステップ２０で肯定の判断（ＹＥＳ）がなされることにより、ステップ２２において一時保存領域５５ｂに保存される。ただし、この例において、個別ルールＢに適合する稟議書１、申込書Ａ１、稟議書２、申込書Ｂ１および稟議書３は、それぞれが個別ルールＢに対応付けられた状態で一時保存領域５５ｂに保存される。一方、この例において、個別ルールＣに適合する申込書Ｃ１および申込書Ｄ１は、それぞれが個別ルールＣに対応付けられた状態で一時保存領域５５ｂに保存される。
【００８２】
そして、最終ページである１２ページ目（Ｐ１２）の照合が行われることに伴い、ステップ２６で肯定の判断（ＹＥＳ）がなされると、個別ルールＢに対応付けられた上記５つのページは、ステップ３０において１つのファイルに束ねられた後、ステップ３２で、元の入力ファイル名（ここでは「Ｆ３」とする）に、個別ルールＢに対応付けられたファイル名接頭辞「申込書ＡＢ＿」を加えたファイル名「申込書ＡＢ＿Ｆ３」が付与される。そして、ファイル名「申込書ＡＢ＿Ｆ３」が付与された出力ファイル（出力６）は、ステップ３４において、個別ルールＢで設定されているルールＢフォルダ５０２を出力先として出力される。その後、この出力ファイル（出力６）は、サーバ装置５の画像記憶部５００に設けられたルールＢフォルダ５０２に記憶される。
【００８３】
また、個別ルールＣに対応付けられた上記２つのページは、ステップ３０において１つのファイルに束ねられた後、ステップ３２で、元の入力ファイル名（ここでは「Ｆ３」とする）に、個別ルールＣに対応付けられたファイル名接頭辞「申込書ＣＤ＿」を加えたファイル名「申込書ＣＤ＿Ｆ３」が付与される。そして、ファイル名「申込書ＣＤ＿Ｆ３」が付与された出力ファイル（出力６）は、ステップ３４において、個別ルールＣで設定されているルールＣフォルダ５０３を出力先として出力される。その後、この出力ファイル（出力７）は、サーバ装置５の画像記憶部５００に設けられたルールＣフォルダ５０３に記憶される。
【００８４】
［連続結合振分処理の手順］
図１０は、連続結合振分処理の手順を説明するためのフローチャートである。
本実施の形態において、図１０（および後述する図１１）に示す処理は、画像形成装置１に設けられた制御部５０（ＣＰＵ）が実行する。なお、ここでは、画像形成装置１の制御部５０において、事前に、連続結合振分処理の実行を含んだ全体ルール（図３に示す第３全体ルールＲ３あるいは第４全体ルールＲ４）が、記憶部５５におけるルール格納領域５５ａから読み出されるとともに設定されているものとする。
【００８５】
この処理では、まず、分割部５２が、入出力部５１を介して入力ファイルを取得する（ステップ４０）。すると、分割部５２は、記憶部５５に設けられた一時保存領域５５ｂを初期化する（ステップ４２）。
【００８６】
次に、分割部５２は、ステップ４０で取得した入力ファイルが、複数ページで構成されているか否かを判断する（ステップ４４）。ステップ４４で肯定の判断（ＹＥＳ）を行った場合、分割部５２は、入力ファイルをページ単位に分割し（ステップ４６）、照合部５３へと出力し、次のステップ４８へと進む。一方、ステップ４４で否定の判断（ＮＯ）を行った場合、分割部５２は、入力ファイルを分割することなくそのまま照合部５３へと出力し、次のステップ４８へと進む。
【００８７】
続いて、照合部５３は、ページ番号Ｘを１に設定し（ステップ４８）、入力ファイルにおけるＸページ目の対象画像データと、全体ルールに対応付けられている１以上の基準画像データとの照合を行う。そして、Ｘページ目の照合が成功したか否か（入力ファイルにおけるＸページ目の対象画像とフォームが同じ基準画像が存在するか否か）を判断する（ステップ５０）。
【００８８】
ステップ５０で肯定の判断（ＹＥＳ）を行った場合（Ｘページ目が適合ページであった場合）、照合部５３は、記憶部５５に設けられた一時保存領域５５ｂが空であるか（既に保存されている対象画像データ（ページ）があるか否か）を判断する（ステップ５２）。ステップ５２で否定の判断（ＮＯ）を行った場合、再構築部５４は、サブルーチンである一時保存領域出力処理を実行し（ステップ５４）、一時保存領域５５ｂを空にした後、次のステップ５６へと進む。一方、ステップ５２で肯定の判断（ＹＥＳ）を行った場合は、そのまま次のステップ５６へと進む。なお、ステップ５４に示す一時保存領域出力処理の詳細については後述する。
【００８９】
次いで、照合部５３は、Ｘページ目の対象画像データを一時保存領域５５ｂに保存し（ステップ５６）、次のステップ６２へと進む。
【００９０】
他方、上記ステップ５０で否定の判断（ＮＯ）を行った場合（Ｘページ目が不適合ページであった場合）、照合部５３は、記憶部５５に設けられた一時保存領域５５ｂが空であるかを判断する（ステップ５８）。ステップ５８で否定の判断（ＮＯ）を行った場合は、上記ステップ５６に移行し、照合部５３は、Ｘページ目の対象画像データを一時保存領域５５ｂに保存し、次のステップ６２へと進む。一方、ステップ５８で肯定の判断（ＹＥＳ）を行った場合、照合部５３は、このＸページ目の対象画像データを再構築部５４へと出力する。再構築部５４は、このＸページ目の対象画像データを１ファイルとして再構築し、個別ルールに対応付けられた出力先へと出力し（ステップ６０）、次のステップ６２へと進む。なお、ステップ６０において、再構築部５４は、得られたファイルを出力ファイルとして、入出力部５１を介して外部（ここでは送受信部４０）に出力する。そして、この出力ファイルは、ネットワーク２を介してサーバ装置５へと送信され、サーバ装置５の画像記憶部５００に設けられたルール外フォルダ５０７に格納される。
【００９１】
次いで、照合部５３は、Ｘページ目の対象画像データが、入力ファイルにおける最終ページであったか否かを判断する（ステップ６２）。ステップ６２において否定の判断（ＮＯ）を行った場合、照合部５３は、ページ番号をＸ＝Ｘ＋１に更新し（ステップ６４）、ステップ５０へと戻って次のページの対象画像データに関する処理を続行する。
【００９２】
一方、ステップ６２において肯定の判断（ＹＥＳ）を行った場合、再構築部５４は、サブルーチンである一時保存領域出力処理を実行し（ステップ６６）、一時保存領域５５ｂを空にした後、次のステップ６８へと進む。なお、ステップ６６に示す一時保存領域出力処理の内容は、上記ステップ５４で実行されるものと同じである。
【００９３】
その後、分割部５２は、次の入力ファイルが存在するか否かを判断する（ステップ６８）。ステップ６８において肯定の判断（ＹＥＳ）を行った場合、分割部５２は、ステップ４０へと戻り、次の入力ファイルに対する処理を続行する。一方、ステップ６８において否定の判断（ＮＯ）を行った場合は、この処理を終了する。
【００９４】
図１１は、図１０に示す一時保存領域出力処理（サブルーチン）の手順を説明するためのフローチャートである。この一時保存領域出力処理は、図１０に示すステップ５４およびステップ６６のそれぞれにおいて実行される。
【００９５】
この処理では、まず、再構築部５４が、記憶部５５における一時保存領域５５ｂに保存されている１以上のページの対象画像データを、帳票を先頭として１ファイルに束ねて保存する（ステップ７０）。すなわち、ステップ７０では、必ず１つのファイルが作成されることになる。また、ステップ７０では、一時保存領域５５ｂに保存されている対象画像データが１ページ分しかない場合は、この１ページ分の対象画像データを含むファイルが作成されることになる。
【００９６】
それから、再構築部５４は、ステップ７０で作成した１つのファイルに対し、このファイルの元となった入力ファイルのファイル名に、個別ルールに対応付けられたファイル名接頭辞を付加したファイル名を付与する（ステップ７２）。
【００９７】
そして、再構築部５４は、ステップ７２でファイル名が付与された１つのファイルを、出力ファイルとして、入出力部５１を介して外部（ここでは送受信部４０）に出力する（ステップ７４）。そして、この出力ファイルは、ネットワーク２を介してサーバ装置５へと送信され、サーバ装置５の画像記憶部５００に設けられたルール外フォルダ５０７以外のフォルダ（この例において、連続結合振分処理の場合はルールＤフォルダ５０４〜ルールＥフォルダ５０６のいずれか）に格納される。
【００９８】
その後、再構築部５４は、記憶部５５に設けられた一時保存領域５５ｂを初期化し（ステップ７６）、図１０に示す連続結合振分処理のメインルーチンへと戻る。
【００９９】
［連続結合振分処理の具体例］
では次に、上述した連続結合振分処理について、２つの具体例を挙げて説明を行う。
【０１００】
＜第１の具体例＞
図１２は、連続結合振分処理における第１の具体例を説明するための図である。
この第１の具体例において、振分ルールは第３全体ルールＲ３となっている。したがって、設定される個別ルールは個別ルールＤのみとなり、出力先は「ルールＤフォルダ」に、基準画像は「稟議書」に、それぞれ設定される。
【０１０１】
また、この第１の具体例において、入力ファイルは第４入力ファイルＦ４となっている。この第４入力ファイルＦ４は、２ページの帳票（稟議書１、稟議書２）を含む全７ページの対象画像データで構成される（図５（ｄ）も参照）。
【０１０２】
では、第３全体ルールＲ３が設定されている状態で、第４入力ファイルＦ４に対し、図１０および図１１に示すフローチャートにしたがって処理を行った場合における振分結果について説明を行う。
【０１０３】
この場合、まず、帳票ではない１ページ目（Ｐ１）の添付資料１および２ページ目（Ｐ２）の添付資料２は、それぞれ、ステップ５０で否定の判断（ＮＯ）がなされた後、ステップ５８で肯定の判断（ＹＥＳ）がなされることにより、ステップ６０においてそれぞれが１つのファイルとして順次出力される。ただし、これら２つの出力ファイル（出力１〜出力２）は、帳票を含むものではないため、その出力先は、個別ルールＤで設定されているルールＤフォルダ５０４ではなく、ルール外フォルダ５０７となる。そして、これら２つの出力ファイル（出力１〜出力２）は、サーバ装置５の画像記憶部５００に設けられたルール外フォルダ５０７に記憶される。
【０１０４】
また、帳票である３ページ目（Ｐ３）の稟議書１は、ステップ５０で肯定の判断（ＹＥＳ）がなされた後、ステップ５２で肯定の判断（ＹＥＳ）がなされることにより、ステップ５６において一時保存領域５５ｂに保存される。次に、帳票ではない４ページ目（Ｐ４）の添付資料３および５ページ目（Ｐ５）の添付資料４は、それぞれ、ステップ５０で否定の判断（ＮＯ）がなされた後、ステップ５８で否定の判断（ＮＯ）がなされることにより、ステップ５６において、上記３ページ目（Ｐ３）の稟議書１とともに一時保存領域５５ｂに保存される。
【０１０５】
さらに、帳票である６ページ目（Ｐ６）の稟議書２は、ステップ５０で肯定の判断（ＹＥＳ）がなされた後、ステップ５２で否定の判断（ＮＯ）がなされる。これに伴い、ステップ５４に示す一時保存領域出力処理（サブルーチン）が実行され、一時保存領域５５ｂに保存されている３つのページ（稟議書１、添付資料３および添付資料４）は、ステップ７０において稟議書１を１ページ目として１つのファイルに束ねられた後、ステップ７２で、元の入力ファイル名（ここでは「Ｆ４」とする）に、個別ルールＤに対応付けられたファイル名接頭辞「稟議書１＿」を加えたファイル名「稟議書１＿Ｆ４」が付与される。そして、ファイル名「稟議書１＿Ｆ４」が付与された出力ファイル（出力３）は、ステップ７４において、個別ルールＤで設定されているルールＤフォルダ５０４を出力先として出力される。その後、この出力ファイル（出力３）は、サーバ装置５の画像記憶部５００に設けられたルールＤフォルダ５０４に記憶される。そして、この出力ファイル（出力３）が出力された後、ステップ７６において、一時保存領域５５ｂが初期化され、ステップ５４の処理が完了する。
【０１０６】
それから、帳票である６ページ目（Ｐ６）の稟議書２は、ステップ５６において一時保存領域５５ｂに保存される。次に、帳票ではない７ページ目（Ｐ７）の添付資料５は、ステップ５０で否定の判断（ＮＯ）がなされた後、ステップ５８で否定の判断（ＮＯ）がなされることにより、ステップ５６において、上記６ページ目（Ｐ６）の稟議書２とともに一時保存領域５５ｂに保存される。
【０１０７】
そして、最終ページである７ページ目（Ｐ７）の照合が行われることに伴い、ステップ６２で肯定の判断（ＹＥＳ）がなされる。これに伴い、ステップ６６に示す一時保存領域出力処理（サブルーチン）が実行され、一時保存領域５５ｂに保存されている２つのページ（稟議書２および添付資料５）は、ステップ７０において稟議書２を１ページ目として１つのファイルに束ねられた後、ステップ７２で、元の入力ファイル名（ここでは「Ｆ４」とする）に、個別ルールＤに対応付けられたファイル名接頭辞「稟議書２＿」を加えたファイル名「稟議書２＿Ｆ４」が付与される。そして、ファイル名「稟議書２＿Ｆ４」が付与された出力ファイル（出力４）は、ステップ７４において、個別ルールＤで設定されているルールＤフォルダ５０４を出力先として出力される。その後、この出力ファイル（出力４）は、サーバ装置５の画像記憶部５００に設けられたルールＤフォルダ５０４に記憶される。そして、この出力ファイル（出力４）が出力された後、ステップ７６において、一時保存領域５５ｂが初期化され、ステップ６６の処理が完了する。
【０１０８】
なお、ステップ５４およびステップ６６に示す一時保存領域出力処理におけるステップ７０で、複数のページを束ねて１つのファイルを作成する際、新たなファイル（出力ファイル）におけるページ順は、元となった入力ファイルにおけるページ順と合わせる（入力ファイルにおけるページ番号の若い順に並べる）とよい。なお、このことは、後述する、図１３に示す第２の具体例においても同じである。
【０１０９】
＜第２の具体例＞
図１３は、連続結合振分処理における第２の具体例を説明するための図である。
この第２の具体例において、振分ルールは第４全体ルールＲ４となっている。したがって、設定される個別ルールは、個別ルールＥおよび個別ルールＦの２つとなる。ここで、個別ルールＥにおける出力先は「ルールＥフォルダ」に、基準画像は「稟議書」に、それぞれ設定される。一方、個別ルールＦにおける出力先は「ルールＦフォルダ」に、基準画像は「申込書Ａ」に、それぞれ設定される。
【０１１０】
また、この第２の具体例において、入力ファイルは第５入力ファイルＦ５となっている。この第５入力ファイルＦ５は、６ページの帳票を含む全１２ページの対象画像データで構成される（図５（ｅ）も参照）。
【０１１１】
このように、第１の具体例と第２の具体例とは、振分ルールと処理対象となる入力ファイルの内容とが異なる。
【０１１２】
では、第４全体ルールＲ４が設定されている状態で、第５入力ファイルＦ５に対し、図１０および図１１に示すフローチャートにしたがって処理を行った場合における振分結果について説明を行う。
【０１１３】
この場合、まず、帳票ではない１ページ目（Ｐ１）の添付資料１は、ステップ５０で否定の判断（ＮＯ）がなされた後、ステップ５８で肯定の判断（ＹＥＳ）がなされることにより、ステップ６０において１つの出力ファイル（出力１）として出力される。ただし、この出力ファイル（出力１）は帳票を含むものではないため、その出力先は、個別ルールＥで設定されているルールＥフォルダ５０５や個別ルールＦで設定されているルールＦフォルダ５０６ではなく、ルール外フォルダ５０７となる。そして、この出力ファイル（出力１）は、サーバ装置５の画像記憶部５００に設けられたルール外フォルダ５０７に記憶される。
【０１１４】
また、帳票である２ページ目（Ｐ２）の稟議書１は、ステップ５０で肯定の判断（ＹＥＳ）がなされた後、ステップ５２で肯定の判断（ＹＥＳ）がなされることにより、ステップ５６において一時保存領域５５ｂに保存される。
【０１１５】
さらに、帳票である３ページ目（Ｐ３）の申込書Ａ１は、ステップ５０で肯定の判断（ＹＥＳ）がなされた後、ステップ５２で否定の判断（ＮＯ）がなされる。これに伴い、ステップ５４に示す一時保存領域出力処理（サブルーチン）が実行され、一時保存領域５５ｂに保存されている１つのページ（稟議書１）は、ステップ７０において１つのファイルとされた後、ステップ７２で、元の入力ファイル名（ここでは「Ｆ５」とする）に、個別ルールＥに対応付けられたファイル名接頭辞「稟議書１＿」を加えたファイル名「稟議書１＿Ｆ５」が付与される。そして、ファイル名「稟議書１＿Ｆ５」が付与された出力ファイル（出力２）は、ステップ７４において、個別ルールＥで設定されているルールＥフォルダ５０５を出力先として出力される。その後、この出力ファイル（出力２）は、サーバ装置５の画像記憶部５００に設けられたルールＥフォルダ５０５に記憶される。そして、この出力ファイル（出力２）が出力された後、ステップ７６において、一時保存領域５５ｂが初期化され、ステップ５４の処理が完了する。
【０１１６】
それから、帳票である３ページ目（Ｐ３）の申込書Ａ１は、ステップ５６において一時保存領域５５ｂに保存される。次に、帳票ではない４ページ目（Ｐ４）の添付資料２および５ページ目（Ｐ５）の添付資料３は、それぞれ、ステップ５０で否定の判断（ＮＯ）がなされた後、ステップ５８で否定の判断（ＮＯ）がなされることにより、ステップ５６において、上記３ページ目（Ｐ３）の申込書Ａ１とともに一時保存領域５５ｂに保存される。
【０１１７】
さらに、帳票である６ページ目（Ｐ６）の稟議書２は、ステップ５０で肯定の判断（ＹＥＳ）がなされた後、ステップ５２で否定の判断（ＮＯ）がなされる。これに伴い、ステップ５４に示す一時保存領域出力処理（サブルーチン）が実行され、一時保存領域５５ｂに保存されている３つのページ（申込書Ａ１、添付資料２および添付資料３）は、ステップ７０において申込書Ａ１を１ページ目として１つのファイルに束ねられた後、ステップ７２で、元の入力ファイル名（ここでは「Ｆ５」とする）に、個別ルールＦに対応付けられたファイル名接頭辞「申込書Ａ１＿」を加えたファイル名「申込書Ａ１＿Ｆ５」が付与される。そして、ファイル名「申込書Ａ１＿Ｆ５」が付与された出力ファイル（出力３）は、ステップ７４において、個別ルールＦで設定されているルールＦフォルダ５０６を出力先として出力される。その後、この出力ファイル（出力３）は、サーバ装置５の画像記憶部５００に設けられたルールＦフォルダ５０６に記憶される。そして、この出力ファイル（出力３）が出力された後、ステップ７６において、一時保存領域５５ｂが初期化され、ステップ５４の処理が完了する。
【０１１８】
それから、帳票である６ページ目（Ｐ６）の稟議書２は、ステップ５６において一時保存領域５５ｂに保存される。次に、帳票ではない７ページ目（Ｐ７）の添付資料４は、ステップ５０で否定の判断（ＮＯ）がなされた後、ステップ５８で否定の判断（ＮＯ）がなされることにより、ステップ５６において、上記６ページ目（Ｐ６）の稟議書２とともに一時保存領域５５ｂに保存される。
【０１１９】
さらにまた、帳票である８ページ目（Ｐ８）の申込書Ａ２は、ステップ５０で肯定の判断（ＹＥＳ）がなされた後、ステップ５２で否定の判断（ＮＯ）がなされる。これに伴い、ステップ５４に示す一時保存領域出力処理（サブルーチン）が実行され、一時保存領域５５ｂに保存されている２つのページ（稟議書２および添付資料４）は、ステップ７０において稟議書２を１ページ目として１つのファイルに束ねられた後、ステップ７２で、元の入力ファイル名（ここでは「Ｆ５」とする）に、個別ルールＥに対応付けられたファイル名接頭辞「稟議書２＿」を加えたファイル名「稟議書２＿Ｆ５」が付与される。そして、ファイル名「稟議書２＿Ｆ５」が付与された出力ファイル（出力４）は、ステップ７４において、個別ルールＥで設定されているルールＥフォルダ５０５を出力先として出力される。その後、この出力ファイル（出力４）は、サーバ装置５の画像記憶部５００に設けられたルールＥフォルダ５０５に記憶される。そして、この出力ファイル（出力４）が出力された後、ステップ７６において、一時保存領域５５ｂが初期化され、ステップ５４の処理が完了する。
【０１２０】
それから、帳票である８ページ目（Ｐ８）の申込書Ａ２は、ステップ５６において一時保存領域５５ｂに保存される。次に、帳票ではない９ページ目（Ｐ９）の添付資料５は、ステップ５０で否定の判断（ＮＯ）がなされた後、ステップ５８で否定の判断（ＮＯ）がなされることにより、ステップ５６において、上記８ページ目（Ｐ８）の申込書Ａ２とともに一時保存領域５５ｂに保存される。
【０１２１】
また、帳票である１０ページ目（Ｐ１０）の申込書Ａ３は、ステップ５０で肯定の判断（ＹＥＳ）がなされた後、ステップ５２で否定の判断（ＮＯ）がなされる。これに伴い、ステップ５４に示す一時保存領域出力処理（サブルーチン）が実行され、一時保存領域５５ｂに保存されている２つのページ（申込書Ａ２および添付資料５）は、ステップ７０において申込書Ａ２を１ページ目として１つのファイルに束ねられた後、ステップ７２で、元の入力ファイル名（ここでは「Ｆ５」とする）に、個別ルールＦに対応付けられたファイル名接頭辞「申込書Ａ２＿」を加えたファイル名「申込書Ａ２＿Ｆ５」が付与される。そして、ファイル名「申込書Ａ２＿Ｆ５」が付与された出力ファイル（出力５）は、ステップ７４において、個別ルールＦで設定されているルールＦフォルダ５０６を出力先として出力される。その後、この出力ファイル（出力５）は、サーバ装置５の画像記憶部５００に設けられたルールＦフォルダ５０６に記憶される。そして、この出力ファイル（出力５）が出力された後、ステップ７６において、一時保存領域５５ｂが初期化され、ステップ５４の処理が完了する。
【０１２２】
それから、帳票である１０ページ目（Ｐ１０）の申込書Ａ３は、ステップ５６において一時保存領域５５ｂに保存される。
【０１２３】
さらに、帳票である１１ページ目（Ｐ１１）の稟議書３は、ステップ５０で肯定の判断（ＹＥＳ）がなされた後、ステップ５２で否定の判断（ＮＯ）がなされる。これに伴い、ステップ５４に示す一時保存領域出力処理（サブルーチン）が実行され、一時保存領域５５ｂに保存されている１つのページ（申込書Ａ３）は、ステップ７０において１つのファイルとされた後、ステップ７２で、元の入力ファイル名（ここでは「Ｆ５」とする）に、個別ルールＦに対応付けられたファイル名接頭辞「申込書Ａ３＿」を加えたファイル名「申込書Ａ３＿Ｆ５」が付与される。そして、ファイル名「申込書Ａ３＿Ｆ５」が付与された出力ファイル（出力６）は、ステップ７４において、個別ルールＦで設定されているルールＦフォルダ５０６を出力先として出力される。その後、この出力ファイル（出力６）は、サーバ装置５の画像記憶部５００に設けられたルールＦフォルダ５０６に記憶される。そして、この出力ファイル（出力６）が出力された後、ステップ７６において、一時保存領域５５ｂが初期化され、ステップ５４の処理が完了する。
【０１２４】
それから、帳票である１１ページ目（Ｐ１１）の稟議書３は、ステップ５６において一時保存領域５５ｂに保存される。次に、帳票ではない１２ページ目（Ｐ１２）の添付資料６は、ステップ５０で否定の判断（ＮＯ）がなされた後、ステップ５８で否定の判断（ＮＯ）がなされることにより、ステップ５６において、上記１１ページ目（Ｐ１１）の稟議書３とともに一時保存領域５５ｂに保存される。
【０１２５】
そして、最終ページである１２ページ目（Ｐ１２）の照合が行われることに伴い、ステップ６２で肯定の判断（ＹＥＳ）がなされる。これに伴い、ステップ６６に示す一時保存領域出力処理（サブルーチン）が実行され、一時保存領域５５ｂに保存されている２つのページ（稟議書３および添付資料６）は、ステップ７０において稟議書３を１ページ目として１つのファイルに束ねられた後、ステップ７２で、元の入力ファイル名（ここでは「Ｆ５」とする）に、個別ルールＥに対応付けられたファイル名接頭辞「稟議書３＿」を加えたファイル名「稟議書３＿Ｆ５」が付与される。そして、ファイル名「稟議書３＿Ｆ５」が付与された出力ファイル（出力７）は、ステップ７４において、個別ルールＥで設定されているルールＥフォルダ５０５を出力先として出力される。その後、この出力ファイル（出力７）は、サーバ装置５の画像記憶部５００に設けられたルールＥフォルダ５０５に記憶される。そして、この出力ファイル（出力７）が出力された後、ステップ７６において、一時保存領域５５ｂが初期化され、ステップ６６の処理が完了する。
【０１２６】
［連続結合振分処理の変形例］
上述した連続結合振分処理においては、入力ファイルから抽出した帳票のページと、入力ファイルにおいてこの帳票のページに連続する１以上の添付資料のページとを、１まとまりの出力ファイルとしていたが、これに限られるものではない。例えば、１以上のページの数（設定ページ数と称する）を予め設定しておき、入力ファイルから抽出した帳票のページと、この帳票のページに続く上記設定ページ数分のページとを、１まとまりの出力ファイルとする構成を採用してもよい。この場合において、例えば設定ページ数を２としたとき、帳票を含む出力ファイルは、必ず、１ページ分の帳票とこの帳票のページに連続する２ページ分の付帯資料（添付資料に限られない）とを含むことになる。  
【０１２７】
［その他］
なお、本実施の形態では、入力ファイルを再構築して得られた出力ファイルを、サーバ装置５に設けられた画像記憶部５００に記憶させるようにしていたが、これに限られるものではない。例えば出力ファイルの出力先を、端末装置３や他の装置としてもかまわない。また、本実施の形態では、入力ファイルを再構築して得られた出力ファイルを、サーバ装置５の画像記憶部５００に設けられた複数のフォルダに記憶させるようにしていたが、これに限られるものではなく、各フォルダを異なる記憶装置に設けてもかまわない。
【０１２８】
さらに、本実施の形態では、入力ファイルを再構築して得られた出力ファイルを、データとして出力していたが、これに限られるものではない。例えば、出力ファイルを構成する１以上のページ（画像データ）を、画像形成部２０を用いて用紙に印刷するようにしたり、メールに添付して端末装置３等に送信するようにしたり、出力ファイルに関連付けられた特定のプログラム（アプリケーション）を起動するようにしてもかまわない。
【符号の説明】
【０１２９】
１…画像形成装置、２…ネットワーク、３…端末装置、４…ファクシミリ装置、５…サーバ装置、１０…画像読取部、２０…画像形成部、３０…ＵＩ、４０…送受信部、５０…制御部、５１…入出力部、５２…分割部、５３…照合部、５４…再構築部、５５…記憶部、５５ａ…ルール格納領域、５５ｂ…一時保存領域、５００…画像記憶部、５０１…ルールＡフォルダ、５０２…ルールＢフォルダ、５０３…ルールＣフォルダ、５０４…ルールＤフォルダ、５０５…ルールＥフォルダ、５０６…ルールＦフォルダ、５０７…ルール外フォルダ
【図１】
2017157083.tif 000003
【図２】
2017157083.tif 000004
【図３】
2017157083.tif 000005
【図４】
2017157083.tif 000006
【図５】
2017157083.tif 000007
【図６】
2017157083.tif 000008
【図７】
2017157083.tif 000009
【図８】
2017157083.tif 000010
【図９】
2017157083.tif 000011
【図１０】
2017157083.tif 000012
【図１１】
2017157083.tif 000013
【図１２】
2017157083.tif 000014
【図１３】
2017157083.tif 000015